(57)【要約】      （修正有）【課題】蓄電装置モジュールの全長のばらつきがあっても、余計な部品を使用すること無く蓄電装置モジュールを筐体に取り付けることができる蓄電装置パックを提供する。【解決手段】筐体２内に収容された電池モジュール３を備え、筐体２には、ボルト４の軸部４ａが通る挿通孔１７が二次電池６の配列方向に対応する方向に一定の間隔を隔てて設けられており、電池モジュール３のエンドプレート７には、ボルト４の軸部４ａが通る挿通孔１３が設けられていると共に、ボルト４の軸部４ａと螺合するナット５が固定されており、電池モジュール３のエンドプレート８には、ボルト４の軸部４ａと螺合するナット５が設けられており、二次電池６の配列方向に沿った挿通孔１３の径は、ボルト４の軸部４ａの径よりも大きくなっており、ナット５のピッチＰｎは、二次電池６の配列方向に対応する方向に沿った挿通孔１７のピッチＰａと一致している、電池パック１。【選択図】図２
2017142942.tif 000002
【特許請求の範囲】
【請求項１】
筐体と、前記筐体内に収容された蓄電装置モジュールとを備えた蓄電装置パックにおいて、
前記蓄電装置モジュールは、一方向に配列された複数の蓄電装置と、前記筐体にボルト及びナットで固定され、前記複数の蓄電装置を前記蓄電装置の配列方向の両側から拘束する第１ブラケット及び第２ブラケットとを有し、
前記筐体には、前記ボルトの軸部が通る第１挿通孔が前記蓄電装置の配列方向に対応する方向に一定の間隔を隔てて設けられており、
前記第１ブラケットには、前記ボルトの軸部が通る第２挿通孔が設けられていると共に、前記ボルトの軸部と螺合する前記ナットが固定されており、
前記第２ブラケットには、前記ボルトの軸部と螺合する締結部が設けられており、
前記蓄電装置の配列方向に沿った前記第２挿通孔の径は、前記ボルトの軸部の径よりも大きくなっており、
前記ナットと前記締結部とのピッチは、前記蓄電装置の配列方向に対応する方向に沿った前記第１挿通孔のピッチと一致していることを特徴とする蓄電装置パック。
【請求項２】
前記第２ブラケットには、前記ボルトの軸部が通る第３挿通孔が設けられており、
前記締結部は、前記第２ブラケットに固定されたナットであり、
前記蓄電装置の配列方向に沿った前記ナットのピッチは、前記蓄電装置の配列方向に対応する方向に沿った前記第１挿通孔のピッチと一致していることを特徴とする請求項１記載の蓄電装置パック。
【請求項３】
前記ナットは、前記第１ブラケット及び前記第２ブラケットにそれぞれ溶接で固定されていることを特徴とする請求項２記載の蓄電装置パック。
【請求項４】
筐体と、前記筐体内に収容された蓄電装置モジュールとを備えた蓄電装置パックにおいて、
前記蓄電装置モジュールは、一方向に配列された複数の蓄電装置と、前記筐体にボルト及びナットで固定され、前記複数の蓄電装置を前記蓄電装置の配列方向の両側から拘束する第１ブラケット及び第２ブラケットとを有し、
前記筐体には、前記ボルトの軸部が通る第１挿通孔が前記蓄電装置の配列方向に対応する方向に一定の間隔を隔てて設けられており、
前記第１ブラケットには、前記ボルトの軸部が通る第２挿通孔が設けられていると共に、前記ボルトの頭部が固定されており、
前記第２ブラケットには、前記ボルトの軸部が通る第３挿通孔が設けられていると共に、前記ボルトの頭部が固定されており、
前記蓄電装置の配列方向に沿った前記第２挿通孔の径は、前記ボルトの軸部の径よりも大きくなっており、
前記蓄電装置の配列方向に沿った前記ボルトのピッチは、前記蓄電装置の配列方向に対応する方向に沿った前記第１挿通孔のピッチと一致していることを特徴とする蓄電装置パック。
【請求項５】
前記ボルトの頭部は、前記第１ブラケット及び前記第２ブラケットにそれぞれ溶接で固定されていることを特徴とする請求項４記載の蓄電装置パック。
【請求項６】
前記第１ブラケットと前記蓄電装置との間には、前記蓄電装置の膨張を吸収するための弾性部材が配置されていることを特徴とする請求項３または５記載の蓄電装置パック。
【請求項７】
前記第２挿通孔は、前記蓄電装置の配列方向に延びる長穴状を呈していることを特徴とする請求項１〜６のいずれか一項記載の蓄電装置パック。
【発明の詳細な説明】
【技術分野】
【０００１】
本発明は、蓄電装置パックに関する。
【背景技術】
【０００２】
蓄電装置パックとしては、例えば特許文献１に記載されている電池パックが知られている。特許文献１に記載の電池パックは、筐体と、この筐体内に収容された複数の電池モジュールとを備えている。電池モジュールは、一方向に配列された複数の電池を有する電池体と、この電池体において電池の配列方向両端に配置され、電池に拘束荷重を加える１対のエンドプレートとを有している。各エンドプレートには、電池体を筐体の側壁にボルトで固定するためのブラケットが固定されている。
【先行技術文献】
【特許文献】
【０００３】
【特許文献１】特開２０１５−１５３４７０号公報
【特許文献２】特開２００９−２０００５１号公報
【発明の概要】
【発明が解決しようとする課題】
【０００４】
ところで、電池モジュールにおける各電池の厚み寸法には、多少のばらつきがある。厚み寸法のばらつきがある電池を複数配列すると、各電池の厚み寸法のばらつきが累積される結果、電池モジュールの全長（電池の配列方向に沿った長さ）がばらつくことがある。このように電池モジュールの全長がばらつくと、電池モジュールを筐体に取り付けることができなくなる可能性がある。
【０００５】
電池モジュールの全長のばらつきを低減する方法としては、例えば特許文献２に記載の技術がある。特許文献２に記載の技術では、電池群の一端に位置する電池とエンドプレートとの間に、長さ調整手段としてのシート状のスペーサを配置することにより、電池モジュールの全長を一定長に調整している。しかし、特許文献２に記載の方法では、複数枚のスペーサまたは厚み寸法が異なる複数種類のスペーサが必要となるため、スペーサのコストがかかる。また、電池モジュールの全長をいちいち測定し、電池モジュール毎にスペーサの数または種類を変える必要があるため、スペーサの組付工数もかかる。
【０００６】
そこで、本発明の目的は、蓄電装置モジュールの全長のばらつきがあっても、余計な部品を使用すること無く蓄電装置モジュールを筐体に取り付けることができる蓄電装置パックを提供することである。
【課題を解決するための手段】
【０００７】
本発明の一態様は、筐体と、筐体内に収容された蓄電装置モジュールとを備えた蓄電装置パックにおいて、蓄電装置モジュールは、一方向に配列された複数の蓄電装置と、筐体にボルト及びナットで固定され、複数の蓄電装置を蓄電装置の配列方向の両側から拘束する第１ブラケット及び第２ブラケットとを有し、筐体には、ボルトの軸部が通る第１挿通孔が蓄電装置の配列方向に対応する方向に一定の間隔を隔てて設けられており、第１ブラケットには、ボルトの軸部が通る第２挿通孔が設けられていると共に、ボルトの軸部と螺合するナットが固定されており、第２ブラケットには、ボルトの軸部と螺合する締結部が設けられており、蓄電装置の配列方向に沿った第２挿通孔の径は、ボルトの軸部の径よりも大きくなっており、ナットと締結部とのピッチは、蓄電装置の配列方向に対応する方向に沿った第１挿通孔のピッチと一致していることを特徴とする。
【０００８】
このような蓄電装置パックにおいては、ボルトの軸部が筐体の第１挿通孔及び第１ブラケットの第２挿通孔を通ってナットと螺合することにより、第１ブラケットが筐体に固定されると共に、ボルトの軸部が筐体の第１挿通孔を通って第２ブラケットの締結部と螺合することにより、第２ブラケットが筐体に固定される。第１ブラケットには、ナットが固定されており、ナットと締結部とのピッチは、蓄電装置の配列方向に対応する方向に沿った第１挿通孔のピッチと一致している。このとき、蓄電装置の配列方向に沿った第２挿通孔の径はボルトの軸部の径よりも大きくなっているため、各蓄電装置の厚み寸法のばらつきに起因した蓄電装置モジュールの全長のばらつきを吸収しつつ、ナットと締結部とのピッチを蓄電装置の配列方向に対応する方向に沿った第１挿通孔のピッチと一致させることが可能である。これにより、蓄電装置モジュールの全長のばらつきがあっても、余計な部品を使用すること無く蓄電装置モジュールを筐体に取り付けることができる。
【０００９】
第２ブラケットには、ボルトの軸部が通る第３挿通孔が設けられており、締結部は、第２ブラケットに固定されたナットであり、蓄電装置の配列方向に沿ったナットのピッチは、蓄電装置の配列方向に対応する方向に沿った第１挿通孔のピッチと一致していてもよい。この場合には、ボルトの軸部が筐体の第１挿通孔及び第１ブラケットの第２挿通孔を通ってナットと螺合することにより、第１ブラケットが筐体に固定されると共に、ボルトの軸部が筐体の第１挿通孔及び第２ブラケットの第３挿通孔を通ってナットと螺合することにより、第２ブラケットが筐体に固定される。このように同じ固定具によって第１ブラケット及び第２ブラケットを筐体に安定して固定することができる。
【００１０】
ナットは、第１ブラケット及び第２ブラケットにそれぞれ溶接で固定されていてもよい。この場合には、第１ブラケット及び第２ブラケットにナットを簡単に且つ確実に固定することができる。
【００１１】
本発明の他の一態様は、筐体と、筐体内に収容された蓄電装置モジュールとを備えた蓄電装置パックにおいて、蓄電装置モジュールは、一方向に配列された複数の蓄電装置と、筐体にボルト及びナットで固定され、複数の蓄電装置を蓄電装置の配列方向の両側から拘束する第１ブラケット及び第２ブラケットとを有し、筐体には、ボルトの軸部が通る第１挿通孔が蓄電装置の配列方向に対応する方向に一定の間隔を隔てて設けられており、第１ブラケットには、ボルトの軸部が通る第２挿通孔が設けられていると共に、ボルトの頭部が固定されており、第２ブラケットには、ボルトの軸部が通る第３挿通孔が設けられていると共に、ボルトの頭部が固定されており、蓄電装置の配列方向に沿った第２挿通孔の径は、ボルトの軸部の径よりも大きくなっており、蓄電装置の配列方向に沿ったボルトのピッチは、蓄電装置の配列方向に対応する方向に沿った第１挿通孔のピッチと一致していることを特徴とする。
【００１２】
このような蓄電装置パックにおいては、ボルトの軸部が第１ブラケットの第２挿通孔及び筐体の第１挿通孔を通ってナットと螺合することにより、第１ブラケットが筐体に固定されると共に、ボルトの軸部が第２ブラケットの第３挿通孔及び筐体の第１挿通孔を通ってナットと螺合することにより、第２ブラケットが筐体に固定される。第１ブラケット及び第２ブラケットには、ボルトの頭部がそれぞれ固定されており、蓄電装置の配列方向に沿ったボルトのピッチは、蓄電装置の配列方向に対応する方向に沿った第１挿通孔のピッチと一致している。このとき、蓄電装置の配列方向に沿った第２挿通孔の径はボルトの軸部の径よりも大きくなっているため、各蓄電装置の厚み寸法のばらつきに起因した蓄電装置モジュールの全長のばらつきを吸収しつつ、蓄電装置の配列方向に沿ったボルトのピッチを蓄電装置の配列方向に対応する方向に沿った第１挿通孔のピッチと一致させることが可能である。これにより、蓄電装置モジュールの全長のばらつきがあっても、余計な部品を使用すること無く蓄電装置モジュールを筐体に取り付けることができる。
【００１３】
ボルトの頭部は、第１ブラケット及び第２ブラケットにそれぞれ溶接で固定されていてもよい。この場合には、第１ブラケット及び第２ブラケットにボルトの頭部を簡単に且つ確実に固定することができる。
【００１４】
第１ブラケットと蓄電装置との間には、蓄電装置の膨張を吸収するための弾性部材が配置されていてもよい。蓄電装置モジュールを組み立てた後に、第１ブラケットにナットまたはボルトの頭部を溶接で固定する場合には、溶接による熱が蓄電装置に影響を与えることがある。第１ブラケットと蓄電装置との間に弾性部材を配置することにより、第１ブラケットと蓄電装置との距離が弾性部材の厚み寸法分だけ長くなるため、溶接による熱が蓄電装置に伝わりにくくなる。従って、溶接による熱が蓄電装置に与える影響を低減することができる。
【００１５】
第２挿通孔は、蓄電装置の配列方向に延びる長穴状を呈していてもよい。この場合には、各蓄電装置の厚み寸法のばらつきに起因した蓄電装置モジュールの全長のばらつきを簡単に且つ確実に吸収することができる。
【発明の効果】
【００１６】
本発明によれば、蓄電装置モジュールの全長のばらつきがあっても、余計な部品を使用すること無く蓄電装置モジュールを筐体に取り付けることができる蓄電装置パックが提供される。
【図面の簡単な説明】
【００１７】
【図１】本発明の一実施形態に係る蓄電装置パックとして電池パックを示す斜視図である。
【図２】本発明の第１実施形態に係る蓄電装置パックとしての電池パックにおいて、電池モジュールが筐体に取り付けられた状態を概略的に示す正面図及び断面図である。
【図３】図２に示された電池モジュールの全長のばらつきがある場合に、電池モジュールが筐体に取り付けられた状態を概略的に示す正面図及び断面図である。
【図４】本発明の第２実施形態に係る蓄電装置パックとしての電池パックにおいて、電池モジュールが筐体に取り付けられた状態を概略的に示す正面図及び断面図である。
【発明を実施するための形態】
【００１８】
以下、本発明の実施形態について、図面を参照して詳細に説明する。なお、図面において、同一または同等の要素には同じ符号を付し、重複する説明を省略する。
【００１９】
図１は、本発明の一実施形態に係る蓄電装置パックとして電池パックを示す斜視図である。図１において、本実施形態の電池パック１（蓄電装置パック）は、矩形箱状の筐体２と、この筐体２内に収容された複数（ここでは４つ）の電池モジュール３（蓄電装置モジュール）とを備えている。
【００２０】
筐体２は、矩形平板状の底壁２ａと、底壁２ａの周縁から立設する矩形平板状の側壁２ｂ〜２ｅと、底壁２ａと対向する矩形平板状の天壁２ｆとからなっている。側壁２ｂ，２ｄ同士は対向し、側壁２ｃ，２ｅ同士は対向している。筐体２は、金属（例えば鉄）で形成されている。
【００２１】
図２は、本発明の第１実施形態に係る蓄電装置パックとしての電池パックにおいて、電池モジュールが筐体に取り付けられた状態を概略的に示す正面図及び断面図である。図２において、電池モジュール３は、ボルト４及びナット５により筐体２の側壁２ｂに取り付けられている。ボルト４は、雄ネジが切られた軸部４ａと、この軸部４ａと一体化された頭部４ｂとからなっている。ナット５は、ボルト４の軸部４ａと螺合する。
【００２２】
電池モジュール３は、一方向に配列された複数の二次電池６（蓄電装置）から構成される電池群６Ａと、この電池群６Ａの両側に配置されたエンドプレート７（第１ブラケット）及びエンドプレート８（第２ブラケット）と、電池群６Ａの一端に位置する二次電池６とエンドプレート７との間に配置された弾性部材９とを有している。
【００２３】
二次電池６は、特に図示はしないが、例えば直方体状のケース内に電極組立体が収容されてなるリチウムイオン二次電池である。二次電池６は、電池ホルダ１０に保持されている（図１参照）。なお、図２では、電池ホルダ１０を省略している。
【００２４】
エンドプレート７，８は、筐体２の側壁２ｂにボルト４及びナット５で固定され、複数の二次電池６を二次電池６の配列方向の両側から拘束する。エンドプレート７，８は、Ｌ字形を呈している。エンドプレート７，８は、剛性が高い金属（例えば鉄）で形成されている。
【００２５】
エンドプレート７は、挟持部１１と、この挟持部１１の一端から垂直に屈曲した固定部１２とを有している。固定部１２には、ボルト４の軸部４ａが通る複数（ここでは２つ）の挿通孔１３（第２挿通孔）が設けられている。挿通孔１３は、二次電池６の配列方向に延びる長穴状（具体的には断面長円形状）を呈している。つまり、二次電池６の配列方向に沿った挿通孔１３の径は、ボルト４の軸部４ａの径よりも大きくなっている。固定部１２には、複数（ここでは２つ）のナット５が挿通孔１３を覆うように溶接で固定されている。
【００２６】
エンドプレート８は、挟持部１４と、この挟持部１４の一端から垂直に屈曲した固定部１５とを有している。挟持部１４は、挟持部１１と協働して複数の二次電池６を二次電池６の配列方向に挟持する。固定部１５の幅寸法（二次電池６の配列方向に沿った寸法）は、固定部１２の幅寸法よりも小さい。固定部１５には、ボルト４の軸部４ａが通る複数（ここでは２つ）の挿通孔１６（第３挿通孔）が設けられている。挿通孔１６は、断面円形状を呈している。固定部１５には、複数（ここでは２つ）のナット５が溶接で固定されている。固定部１５に固定されたナット５は、締結部を構成している。このとき、ナット５の中心軸と挿通孔１６の中心軸とが一致するように、ナット５が固定部１５に固定されている。
【００２７】
弾性部材９は、二次電池６の膨張を吸収するための平板状の部材である。弾性部材９は、金属に比べて熱伝導率が低い材料、例えばシリコン系ゴム及びフッ素ゴム等のゴム、またはエポキシ樹脂及びポリアミド合成樹脂等の樹脂で形成されている。
【００２８】
筐体２の側壁２ｂには、ボルト４の軸部４ａが通る複数の挿通孔１７（第１挿通孔）が設けられている。挿通孔１７は、二次電池６の配列方向に対応する方向に一定の間隔を隔てて上下複数（ここでは２つ）ずつ設けられている。挿通孔１７は、断面円形状を呈している。二次電池６の配列方向に対応する方向に沿った挿通孔１７のピッチＰａは、電池モジュール３の全長Ｌの設計値から定められている。挿通孔１７のピッチＰａは、二次電池６の配列方向に対応する方向に沿った挿通孔１７の中心軸間の距離である。
【００２９】
以上のような電池パック１において、電池モジュール３を組み立てるときは、まず複数の二次電池６及び弾性部材９を一方向に配列し、その状態でエンドプレート７，８により複数の二次電池６及び弾性部材９を二次電池６の配列方向に挟み込む。このとき、弾性部材９は、エンドプレート７と二次電池６との間に配置される。なお、エンドプレート８の固定部１５には、ナット５が予め溶接で固定されている。そして、複数組（ここでは４組）のボルト１８及びナット１９（図１参照）によってエンドプレート７，８同士を連結することにより、複数の二次電池６を二次電池６の配列方向に拘束する。
【００３０】
その後、エンドプレート７の固定部１２にナット５を溶接で固定する。このとき、二次電池６の配列方向に沿ったナット５のピッチＰｎが二次電池６の配列方向に対応する方向に沿った挿通孔１７のピッチＰａと一致するように、固定部１２にナット５を溶接する。ナット５のピッチＰｎは、二次電池６の配列方向に沿ったナット５の中心軸間の距離である。なお、電池モジュール３の全長Ｌが設計値と等しいときは、図２に示されるように、ナット５の中心軸と挿通孔１３の中心軸とが一致するように、ナット５が固定部１２に固定される。
【００３１】
電池モジュール３を筐体２に取り付けるときは、電池モジュール３を筐体２内に収容し、エンドプレート７，８にそれぞれ固定されたナット５を筐体２の挿通孔１７の位置に合わせる。そして、筐体２の外側からボルト４の軸部４ａを筐体２の挿通孔１７及びエンドプレート７の挿通孔１３に通してナット５と螺合させ、ボルト４をナット５に対して締め付けると共に、筐体２の外側からボルト４の軸部４ａを筐体２の挿通孔１７及びエンドプレート８の挿通孔１６に通してナット５と螺合させ、ボルト４をナット５に対して締め付ける。これにより、エンドプレート７，８が筐体２に固定される。
【００３２】
以上のように本実施形態にあっては、ボルト４の軸部４ａと螺合するナット５がエンドプレート７，８に固定されている。これらのナット５のピッチＰｎは、筐体２における二次電池６の配列方向に対応する方向に沿った挿通孔１７のピッチＰａと一致している。また、エンドプレート７には、ボルト４の軸部４ａが通る挿通孔１３が設けられているが、二次電池６の配列方向に沿った挿通孔１３の径は、ボルト４の軸部４ａの径よりも大きくなっている。このため、各二次電池６の厚み寸法Ｄのばらつきに起因した電池モジュール３の全長Ｌのばらつきを吸収しつつ、ナット５のピッチＰｎを二次電池６の配列方向に対応する方向に沿った挿通孔１７のピッチＰａと一致させることが可能である。
【００３３】
例えば図３に示されるように、各二次電池６の厚み寸法Ｄのばらつきが大きいために電池モジュール３の全長Ｌが設計値からずれた場合には、ナット５を挿通孔１３の長手方向に沿って動かすことで、ナット５のピッチＰｎを挿通孔１７のピッチＰａと一致させることが可能である。
【００３４】
これにより、電池モジュール３の全長Ｌのばらつきがあっても、電池モジュール３の全長調整用のスペーサ等といった余計な部品を使用すること無く電池モジュール３を筐体２に取り付けることができる。また、電池モジュール３の全長Ｌをいちいち測定しなくて済むため、電池モジュール３の組み立て工数を低減することができる。
【００３５】
また、エンドプレート７，８をボルト４及びナット５という同じ固定具により筐体２に安定して固定することができる。
【００３６】
また、ナット５はエンドプレート７，８に溶接で固定されるので、ナット５をエンドプレート７，８に簡単に且つ確実に固定することができる。
【００３７】
また、エンドプレート７と二次電池６との間に弾性部材９が配置されているので、エンドプレート７と二次電池６との距離が弾性部材９の厚み分だけ長くなる。このため、電池モジュール３を組み立てた後、エンドプレート７にナット５を溶接で固定するときに、溶接による熱が二次電池６に伝わりにくくなる。従って、溶接による熱が二次電池６に与える影響を低減することができる。
【００３８】
また、エンドプレート７の挿通孔１３は二次電池６の配列方向に延びる長穴状を呈しているので、各二次電池６の厚み寸法Ｄのばらつきに起因した電池モジュール３の全長Ｌのばらつきを簡単に且つ確実に吸収することができる。
【００３９】
図４は、本発明の第２実施形態に係る蓄電装置パックとしての電池パックにおいて、電池モジュールが筐体に取り付けられた状態を概略的に示す正面図及び断面図である。本実施形態は、エンドプレート７，８にボルト４が固定されている点で、上記第１実施形態と異なっている。
【００４０】
図４において、エンドプレート７の固定部１２及びエンドプレート８の固定部１５には、ボルト４の頭部４ｂがそれぞれ溶接で固定されている。頭部４ｂは、軸部４ａが挿通孔１３，１６を挿通した状態で溶接されている。電池モジュール３の組み立て前に、エンドプレート８の固定部１５にボルト４の頭部４ｂが予め溶接される。
【００４１】
そして、電池モジュール３の組み立て後に、エンドプレート７の固定部１２にボルト４の頭部４ｂが溶接で固定される。このとき、二次電池６の配列方向に沿ったボルト４のピッチＰｖが二次電池６の配列方向に対応する方向に沿った挿通孔１７のピッチＰａと一致するように、固定部１２にボルト４が溶接される。ボルト４のピッチＰｖは、二次電池６の配列方向に沿ったボルト４の中心軸間の距離である。なお、電池モジュール３の全長Ｌが設計値と等しいときは、ボルト４の中心軸と挿通孔１３の中心軸とが一致するように、ボルト４が固定部１２に固定される。
【００４２】
本実施形態において、電池モジュール３を筐体２に取り付けるときは、電池モジュール３を筐体２内に収容した状態で、エンドプレート７，８に固定されたボルト４の軸部４ａを筐体２の挿通孔１７に挿通させる。そして、筐体２の外側からナット５をボルト４の軸部４ａと螺合させ、ナット５をボルト４に対して締め付ける。これにより、エンドプレート７，８が筐体２に固定される。
【００４３】
このように本実施形態においては、ボルト４の頭部４ｂがエンドプレート７，８に固定されている。これらのボルト４のピッチＰｖは、筐体２における二次電池６の配列方向に対応する方向に沿った挿通孔１７のピッチＰａと一致している。また、エンドプレート７には、ボルト４の軸部４ａが通る挿通孔１３が設けられているが、二次電池６の配列方向に沿った挿通孔１３の径は、ボルト４の軸部４ａの径よりも大きくなっている。このため、各二次電池６の厚み寸法Ｄのばらつきに起因した電池モジュール３の全長Ｌのばらつきを吸収しつつ、ボルト４のピッチＰｖを二次電池６の配列方向に対応する方向に沿った挿通孔１７のピッチＰａと一致させることが可能である。これにより、電池モジュール３の全長Ｌのばらつきがあっても、余計な部品を使用すること無く電池モジュール３を筐体２に取り付けることができる。
【００４４】
また、ボルト４の頭部４ｂはエンドプレート７，８に溶接で固定されるので、ボルト４の頭部４ｂをエンドプレート７，８に簡単に且つ確実に固定することができる。
【００４５】
なお、本発明は、上記実施形態には限定されない。例えば上記第１実施形態では、ナット５がエンドプレート７，８に溶接で固定されているが、ナット５を固定する方法としては、特に溶接には限られず、かしめ等であってもよい。同様に、上記第２実施形態では、ボルト４の頭部４ｂがエンドプレート７，８に溶接で固定されているが、ボルト４の頭部４ｂを固定する方法としては、特に溶接には限られず、かしめ等であってもよい。
【００４６】
また、上記第１実施形態では、エンドプレート８にナット５が固定されているが、特にその形態には限られず、例えば雌ネジが切られたボルト穴がエンドプレート８に設けられていてもよい。このような構成では、ボルト穴がボルト４の軸部４ａと螺合する締結部となる。上記第１実施形態のようにエンドプレート８にナット５を固定した場合には、エンドプレート８に対するネジ加工が不要となるが、エンドプレート８にボルト穴を設けた場合には、部品点数を削減することができる。
【００４７】
また、上記実施形態では、二次電池６の配列方向に延びる長穴状の挿通孔１３がエンドプレート７に設けられているが、特にその形態には限られず、例えばボルト４の軸部４ａよりも大きな径を有する断面円形状の挿通孔１３をエンドプレート７に設けてもよい。
【００４８】
さらに、上記実施形態では、エンドプレート８に断面円形状の挿通孔１６が設けられているが、挿通孔１６の形状としては特に断面円形状には限られず、挿通孔１３と同様に、二次電池６の配列方向に延びる長穴状であってもよい。
【００４９】
また、上記実施形態では、電池モジュール３を組み立てた後にナット５またはボルト４が固定されるエンドプレート７と二次電池６との間に弾性部材９が配置されているが、特にその形態には限られず、もう一方のエンドプレート８と二次電池６との間に弾性部材９を配置してもよいし、或いはエンドプレート７，８と二次電池６との間にそれぞれ弾性部材９を配置してもよい。
【００５０】
さらに、上記実施形態は、リチウムイオン二次電池等の二次電池６を有する電池モジュール３を備えた電池パック１であるが、本発明は、特に二次電池には限られず、例えば電気二重層キャパシタまたはリチウムイオンキャパシタ等の蓄電装置を有する蓄電装置モジュールを備えた蓄電装置パックにも適用可能である。
【符号の説明】
【００５１】
１…電池パック（蓄電装置パック）、２…筐体、３…電池モジュール（蓄電装置モジュール）、４…ボルト、４ａ…軸部、４ｂ…頭部、５…ナット（締結部）、６…二次電池（蓄電装置）、７…エンドプレート（第１ブラケット）、８…エンドプレート（第２ブラケット）、９…弾性部材、１３…挿通孔（第２挿通孔）、１６…挿通孔（第３挿通孔）、１７…挿通孔（第１挿通孔）。
【図１】
2017142942.tif 000003
【図２】
2017142942.tif 000004
【図３】
2017142942.tif 000005
【図４】
2017142942.tif 000006